(57)【要約】【課題】  逆Ｌ字状の外部カニューレを用いることが可能となり、しかも、分泌物の付着量を少なくしうる気道切開管を提供する。【解決手段】  管状の外部カニューレ１と、その内部に挿入される管状の内部カニューレ２とを備える。内部カニューレ２の先端部２１および基部２３は略直線状に延長されている。内部カニューレの屈曲部２２は、ほぼ円弧状に屈曲されるようになっている。  先端部２１における外側の側面には、切り欠き２１１が形成されている。切り欠き２１１は、先端部２１が外部カニューレ１の先端部１１の内部に収納された状態においてほぼ閉じられ、かつ開閉可能なものとなっている。  屈曲部２２における内側の側面には、切り欠き２２１が形成されている。切り欠き２２１は、屈曲部２２が外部カニューレ１の屈曲部１２の内部に収納された状態においてほぼ閉じられ、かつ開閉可能なものとなっている。【選択図】図３
2005058562.tif 000002
【特許請求の範囲】
【請求項１】
管状の外部カニューレと、その内部に挿入される管状の内部カニューレとを備えており、
前記外部カニューレおよび内部カニューレは、それぞれ、先端部と、屈曲部と、基部とを備えており、
前記外部カニューレの先端部および基部は略直線状に延長されており、
前記外部カニューレの屈曲部は、ほぼ円弧状に屈曲されており、かつ、前記外部カニューレの前記先端部と基部とを接続しており、
前記内部カニューレの先端部および基部は略直線状に延長されており、
前記内部カニューレの屈曲部は、前記外部カニューレの屈曲部の内部に収納された状態においてほぼ円弧状に屈曲されるものであり、かつ、前記内部カニューレの前記先端部と基部とを接続しており、
前記内部カニューレの先端部における外側の側面には、前記内部カニューレの先端部が前記外部カニューレの先端部の内部に収納された状態においてほぼ閉じられ、かつ開閉可能な切り欠きが形成されており、
前記内部カニューレの屈曲部における内側の側面には、前記内部カニューレの屈曲部が前記外部カニューレの屈曲部の内部に収納された状態においてほぼ閉じられ、かつ開閉可能な切り欠きが形成されていることを特徴とする気道切開管。
【請求項２】
前記内部カニューレの先端部および屈曲部に形成された切り欠きは複数であることを特徴とする請求項１に記載の気道切開管。
【請求項３】
前記内部カニューレの先端部および屈曲部は、柔軟な材質により構成されていることを特徴とする請求項１または２に記載の気道切開管。
【請求項４】
前記柔軟な材質とは、ポリエチレンまたはポリプロピレンであることを特徴とする請求項３に記載の気道切開管。
【請求項５】
管状の外部カニューレの内部に挿入される管状の内部カニューレであって、
先端部と、屈曲部と、基部とを備えており、
前記先端部および基部は略直線状に延長されており、かつ、柔軟な材質により構成されており、
前記屈曲部は、ほぼ円弧状に屈曲されるものであり、かつ、前記先端部と基部とを接続しており、
前記先端部における外側の側面には、延長状態においてほぼ閉じられる切り欠きが形成されており、
前記屈曲部における内側の側面には、屈曲状態においてほぼ閉じられる切り欠きが形成されていることを特徴とする内部カニューレ。
【発明の詳細な説明】
【技術分野】
【０００１】
本発明は気道切開管に関するものである。
【背景技術】
【０００２】
気道切開管は、患者の気道確保のために用いられている。従来の気道切開管の一例を下記特許文献１に示す。
【０００３】
特許文献１に記載の気道切開管は、外部カニューレと、その内部に挿入される内部カニューレとから構成されている。一般に、気道切開管を使用すると、管の内面に、患者からの分泌物が固着する。内部カニューレを用いる気道切開管では、内部カニューレを外部カニューレから引き抜いて、内部カニューレの内面に固着した分泌物を除去し、再び内部カニューレを装着することができる。
【０００４】
ところで、従来の気道切開管では、内部カニューレを外部カニューレから引き抜くことができるようにするために、両カニューレを、一定の曲率を持つ円弧状に形成している。
【０００５】
しかしながら、気道の形状を考慮すると、外部カニューレの形状は、逆Ｌ字状（Ｌ字状を面内で約１８０°回転させた形状）に近いことが好ましい。
【０００６】
このため、内部カニューレを蛇管により構成することにより、逆Ｌ字状の外部カニューレに内部カニューレを挿入可能とすることも考えられる。
【０００７】
しかしながら、内部カニューレを蛇管により構成すると、管の内径が細くなって通気抵抗が増加してしまう。さらに、蛇管を用いると、分泌物が内面に付着しやすくなり、この分泌物によって通気抵抗がさらに増加してしまう。
【特許文献１】特開２００１−７９０９０号公報
【発明の開示】
【発明が解決しようとする課題】
【０００８】
本発明は、このような事情に鑑みてなされたもので、逆Ｌ字状外部カニューレを用いることが可能であり、しかも、分泌物の付着量を少なくしうる気道切開管を提供することを目的としている。
【課題を解決するための手段】
【０００９】
本発明に係る気道切開管は、管状の外部カニューレと、その内部に挿入される管状の内部カニューレとを備えている。前記外部カニューレおよび内部カニューレは、それぞれ、先端部と、屈曲部と、基部とを備えている。前記外部カニューレの先端部および基部は、略直線状に延長されている。前記外部カニューレの屈曲部は、ほぼ円弧状に屈曲されており、かつ、前記外部カニューレの前記先端部と基部とを接続している。前記内部カニューレの先端部および基部は略直線状に延長されている。前記内部カニューレの屈曲部は、前記外部カニューレの屈曲部の内部に収納された状態においてほぼ円弧状に屈曲されるものであり、かつ、前記内部カニューレの前記先端部と基部とを接続している。前記内部カニューレの先端部における外側の側面には、前記内部カニューレの先端部が前記外部カニューレの先端部の内部に収納された状態においてほぼ閉じられ、かつ開閉可能な切り欠きが形成されている。前記内部カニューレの屈曲部における内側の側面には、前記内部カニューレの屈曲部が前記外部カニューレの屈曲部の内部に収納された状態においてほぼ閉じられ、かつ開閉可能な切り欠きが形成されている。
【００１０】
前記内部カニューレの先端部および屈曲部に形成された切り欠きは複数とすることができる。
【００１１】
前記内部カニューレの先端部および屈曲部は、柔軟な材質により構成されることができる。この柔軟な材質とは、例えばポリエチレンまたはポリプロピレンである。
【００１２】
本発明に係る内部カニューレは、管状の外部カニューレの内部に挿入される管状の内部カニューレである。この内部カニューレは、先端部と、屈曲部と、基部とを備えている。前記先端部および基部は略直線状に延長されており、かつ、柔軟な材質により構成されている。前記屈曲部は、ほぼ円弧状に屈曲されるものであり、かつ、前記先端部と基部とを接続している。前記先端部における外側の側面には、延長状態においてほぼ閉じられる切り欠きが形成されている。前記屈曲部における内側の側面には、屈曲状態においてほぼ閉じられる切り欠きが形成されている。
【発明の効果】
【００１３】
本発明の気道切開管によれば、逆Ｌ字状外部カニューレを用いることが可能となり、しかも、分泌物の付着量を少なくしうる気道切開管を提供することができる。
【発明を実施するための最良の形態】
【００１４】
以下、本発明の一実施形態に係る気道切開管を、添付図面を参照して説明する。なお、添付図面においては、理解を容易にするため、部材の肉厚や空隙の幅を誇張して記載している。
【００１５】
本実施形態の気道切開管は、管状の外部カニューレ１（図１参照）と、その内部に挿入される管状の内部カニューレ（図２参照）とを備えている。本実施形態では、外部カニューレ１と内部カニューレ２は、いずれも円筒状となっている。
【００１６】
外部カニューレ１は、先端部１１と、屈曲部１２と、基部１３と、フランジ１４とを備えている（図１参照）。先端部１１および基部１２は略直線状に延長されている。
【００１７】
屈曲部１２は、ほぼ円弧状に屈曲されている。屈曲部１２の曲率半径は、例えば７０ｍｍ程度が適切である。屈曲部１２は、先端部１１と基部１３とを接続している。この実施形態では、先端部１１と、屈曲部１２と、基部１３と、フランジ１４とは、樹脂により一体に形成されている。樹脂の種類としては、特に限定されないが、例えばポリエチレンやポリプロピレンを利用することができる。また、樹脂以外の材質（例えば金属）を用いることも可能である。
【００１８】
外部カニューレ１は、従来の技術（例えば前記特許文献１）と同様に、カフ（図示せず）を備えている。カフの構成は従来と同様なので詳細な説明を省略する。
【００１９】
内部カニューレ２は、先端部２１と、屈曲部２２と、基部２３と、フランジ２４とを備えている（図２参照）。内部カニューレ２の先端部２１および基部２３は、略直線状に延長されている。
【００２０】
内部カニューレ２の屈曲部２２は、ほぼ円弧状に屈曲されている。屈曲部２２の曲率半径は、外部カニューレ１の屈曲部１２の曲率半径の２倍程度が好ましいが、これには限られない。屈曲部２２は、外部カニューレ１に挿入する前の状態では、直線状であってもよい。屈曲部２２は、外部カニューレ１の屈曲部１２に収納された状態で屈曲されるものであればよい。屈曲部２２は、先端部２１と基部２３とを接続している。この実施形態では、屈曲部２２と、基部２３と、フランジ２４とは、柔軟な樹脂（例えばポリエチレンやポリプロピレンなどの柔軟性のある樹脂）により一体に形成されている。
【００２１】
内部カニューレ２の先端部２１における外側（外部カニューレ１の屈曲部１２を基準とする外側）の側面（図２中右側側面）には、複数の切り欠き２１１が形成されている。この切り欠き２１１は、内部カニューレ２の先端部２１が外部カニューレ１の先端部１１の内部に収納された状態においてほぼ閉じられるようになっている。より具体的には、切り欠き２１１は、内部カニューレ２の先端部２１がほぼ直線状となったときにほぼ閉じられるようになっている。なお、本明細書において「切り欠きが閉じられている」とは、「気道確保に実質的な支障を生じない程度に、切り欠きの開口端部どうしが接近している状態」をいうものとする。切り欠き２１１は、先端部２１が柔軟材質で構成されているために、外力により開閉可能となっている。
【００２２】
内部カニューレ２の屈曲部２２における内側の側面には、複数の切り欠き２２１が形成されている。切り欠き２２１は、内部カニューレ２の屈曲部２２が外部カニューレ１の屈曲部１２の内部に収納された状態においてほぼ閉じられるようになっている。さらに、切り欠き２２１は、屈曲部２２が柔軟材質で構成されているために、外力により開閉可能となっている。
【００２３】
つぎに、前記のように構成された本実施形態の気道切開管の使用方法を説明する。まず、外部カニューレ１の基部１３側の開口端から、外部カニューレ１の内部に、内部カニューレ２を挿入する。本実施形態では、内部カニューレ２の先端部２１に切り欠き２１１を形成したので、先端部２１が、外部カニューレ１の屈曲部１２を通過するときには、切り欠き２１１が開く（図３参照）。これにより、先端部２１は、屈曲部１２に合わせて湾曲でき、この屈曲部１２を容易に通過することができる。
【００２４】
また、本実施形態では、内部カニューレ２の屈曲部２２に切り欠き２２１を形成したので、屈曲部２２が、外部カニューレ１の基部１３を通過するときには、切り欠き２２１が開く（図３参照）。このため、屈曲部２２は、基部１３の形状に合わせてほぼ直線状となり、この基部１３を容易に通過することができる。
【００２５】
さらに、内部カニューレ２を外部カニューレ１の内部に押し込むと、内部カニューレ２の先端部２１および屈曲部２２が、外部カニューレ１の先端部１１および屈曲部１２に対応する位置に配置される（図４参照）。この状態では、内部カニューレ２のフランジ２４が外部カニューレ１のフランジ１４に当接して、それ以上の挿入が阻止される。また、この状態では、切り欠き２１１および２２１は、いずれも閉じた状態となる。
【００２６】
この状態で、気道切開管を患者の気道に装着する。本実施形態では、外部カニューレ１の形状を逆Ｌ字状としているので、気道に装着したときの違和感が少ないという利点がある。
【００２７】
また、本実施形態では、内部カニューレ２として蛇管を使用していないので、気道の実質的な内径を大きくすることができ、通気抵抗を減少させることができるという利点がある。
【００２８】
しかも、内部カニューレ２として蛇管を使用しないので、内部カニューレ２の内部に分泌物が堆積しにくく、このため、内部カニューレ２の交換回数を減少させることも可能となる。内部カニューレ２の交換は患者に負担を強いるため、交換回数を減少させることにより、患者の負担を減少させることができる。
【００２９】
気道切開管の使用に伴い、内部カニューレ２に分泌物が堆積して、これを交換する場合は、内部カニューレ２を外部カニューレ１から引き抜く。このとき、本実施形態では、切り欠き２１１および２２１を設けたため、引き抜きを円滑に行うことができる。この作用は前記と同様なので説明を省略する。
【００３０】
本実施形態では、前記したように、内部カニューレ２に切り欠き２１１および２２１を設けたので、内部カニューレ２を外部カニューレ１に着脱する作業が容易であるという利点がある。
【００３１】
なお、本発明の気道切開管は、上記した実施の形態に限定されるものではなく、本発明の要旨を逸脱しない範囲内において種々変更を加え得るものである。
【産業上の利用可能性】
【００３２】
本発明の気道切開管は、患者の気道確保のために使用される。ここで患者とは、人間に限らず、犬等の動物であってもよい。
【図面の簡単な説明】
【００３３】
【図１】本発明の一実施形態に係る気道切開管に用いる外部カニューレの断面図である。
【図２】本発明の一実施形態に係る気道切開管に用いる内部カニューレの断面図である。
【図３】内部カニューレを外部カニューレに装着する作業を説明するための説明図である。
【図４】内部カニューレが外部カニューレに装着された状態における気道切開管の断面図である。
【符号の説明】
【００３４】
１  外部カニューレ
１１  先端部
１２  屈曲部
１３  基部
１４  フランジ
２  内部カニューレ
２１  先端部
２１１  切り欠き
２２  屈曲部
２２１  切り欠き
２３  基部  
２４  フランジ
【図１】
2005058562.tif 000003
【図２】
2005058562.tif 000004
【図３】
2005058562.tif 000005
【図４】
2005058562.tif 000006